(57)【特許請求の範囲】
【請求項１】
車両のサイドドア内に配設されて車両前後方向に延び、かつ前記サイドドアのアウタパネルとの接着が図られる張り剛性リインフォースと、
この張り剛性リインフォースとは異なる高さで前記サイドドア内に配設されて車両前後方向に延びるインパクトビームと、
前記張り剛性リインフォースおよび前記インパクトビームの両者に架け渡された状態に取り付けられて前記サイドドア内に配設された可撓性を有するエネルギ吸収部材と、
を備えており、
前記エネルギ吸収部材には、前記インパクトビームが嵌入する凹部、およびこの凹部の車幅方向両側に形成され、かつ前記インパクトビームを車幅方向両側から挟むように前記インパクトビームに係合する一対の係合部が具備されており、
前記エネルギ吸収部材は、前記アウタパネルに対して非接触で接近した配置に設定されていることを特徴とする、車両のサイドドア構造。
【発明の詳細な説明】
【技術分野】
【０００１】
本発明は、自動車などの車両のサイドドア構造に関する。
【背景技術】
【０００２】
車両のサイドドア構造の具体例として、特許文献１，２に記載された構造がある。
特許文献１に記載されたサイドドア構造においては、車両のサイドドア内に、インパクトビームおよび張り剛性リインフォースが配設されている。インパクトビームは、車両の側突時のドア変形を防止することなどを目的として設けられ、車両前後方向に延びている。張り剛性リインフォースは、サイドドアのアウタパネルの張り剛性を高めることを目的として設けられ、インパクトビームよりも上方に位置して車両前後方向に延び、かつアウタパネルに接着されている。
一方、特許文献２に記載されたサイドドア構造においては、サイドドア内にエネルギ吸収部材（衝撃吸収部材）が配設されている。このエネルギ吸収部材は、車両の側突によってサイドドアが車室内側に押し込まれた際に、乗員の腰部を保護可能に設けられている。
【０００３】
しかしながら、従来においては、次に述べるように、不具合を生じる場合があった。
すなわち、張り剛性リインフォースは、アウタパネルの全体の張り剛性を合理的に高めることができるように、その配置やサイズなどが決定される。ただし、軽量化や低コスト化の観点、あるいはそれ以外の観点から、張り剛性リインフォースの配置やサイズなどに制約を受ける場合があり、サイドドアのアウタパネルの張り剛性を十分に高くできない場合がある。
一方、特許文献２には、既述したように、サイドドア内にエネルギ吸収部材を設けた構成が記載されているが、従来におけるエネルギ吸収部材は、車両の側突時の乗員保護を図るための専用品として用いられているに過ぎない。すなわち、従来のエネルギ吸収部材は、たとえばサイドドアのアウタパネルの張り剛性を高めることに関しては、なんら役に立つものとはされていない。
【先行技術文献】
【特許文献】
【０００４】
【特許文献１】特開２００３−２５８４２号公報
【特許文献２】特開２０００−１２７７６３号公報
【発明の概要】
【発明が解決しようとする課題】
【０００５】
本発明は、前記したような事情のもとで考え出されたものであり、重量や製造コストの増加を抑制しながらも、サイドドアのアウタパネルの張り剛性の向上などを合理的に図ることが可能な車両のサイドドア構造を提供することを、その課題としている。
【課題を解決するための手段】
【０００６】
前記の課題を解決するため、本発明では、次の技術的手段を講じている。
【０００７】
本発明により提供される車両のサイドドア構造は、車両のサイドドア内に配設されて車両前後方向に延び、かつ前記サイドドアのアウタパネルとの接着が図られる張り剛性リインフォースと、この張り剛性リインフォースとは異なる高さで前記サイドドア内に配設されて車両前後方向に延びるインパクトビームと、前記張り剛性リインフォースおよび前記インパクトビームの両者に架け渡された状態に取り付けられて前記サイドドア内に配設された可撓性を有するエネルギ吸収部材と、を備えており、前記エネルギ吸収部材には、前記インパクトビームが嵌入する凹部、およびこの凹部の車幅方向両側に形成され、かつ前記インパクトビームを車幅方向両側から挟むように前記インパクトビームに係合する一対の係合部が具備されており、前記エネルギ吸収部材は、前記アウタパネルに対して非接触で接近した配置に設定されていることを特徴としている。
【０００８】
このような構成によれば、次のような効果が得られる。
第１に、エネルギ吸収部材をサイドドアのアウタパネルに接近した配置に取り付けることができ、このエネルギ吸収部材の存在によりアウタパネルの張り剛性を実質的に高めることが可能である。すなわち、サイドドアのアウタパネルに手押しなどの外力が加わった際に、アウタパネルが一定以上押し込まれることをエネルギ吸収部材によって防止することが可能である。
第２に、アウタパネルの張り剛性向上手段として、乗員保護用のエネルギ吸収部材を用いているために、その構成は合理的であって、それ専用の高価な部品を追加する必要はない。また、張り剛性リインフォースを大型化したり、あるいはアウタパネルの厚みを大きくするといった必要もなくし、重量の増加、ならびに製造コストの上昇を好適に抑制することができる。
第３に、張り剛性リインフォースは、高剛性とされるインパクトビームにエネルギ吸収部材を介して連結されることとなるため、張り剛性リインフォースの配設領域のうち、エネルギ吸収部材との連結箇所周辺の剛性が高まる効果も期待できる。
第４に、張り剛性リインフォースとインパクトビームとを連結するエネルギ吸収部材は、可撓性を有するため、サイドドアの開閉時などの騒音・振動を減衰させる機能も得られる。
第５に、エネルギ吸収部材の安定的な取り付けを図ることができる。したがって、車両の側突の際に、エネルギ吸収部材本来の性能を適切に発生させ得る。
【０００９】
本発明のその他の特徴および利点は、添付図面を参照して以下に行なう発明の実施の形態の説明から、より明らかになるであろう。
【図面の簡単な説明】
【００１０】
【図１】（ａ）は、本発明に係る車両のサイドドア構造の一例を示す側面図であり、（ｂ）は、（ａ）のＩ−Ｉ要部断面図である。
【発明を実施するための形態】
【００１１】
以下、本発明の好ましい実施の形態について、図面を参照して具体的に説明する。
【００１２】
図１に示す車両のサイドドア構造Ａは、車体側部に取リ付けられるサイドドア１の内部に、インパクトビーム２、張り剛性リインフォース３、およびエネルギ吸収部材４が配設された構成である。
サイドドア１は、アウタパネル１０とインナパネル１１とを接合して構成されており、上部には窓枠部１２などが設けられている。サイドドア１内には、窓ガラス昇降用機構やその他の機器・部品類が配設されているが、これらの説明については省略する。
【００１３】
インパクトビーム２、および張り剛性リインフォース３は、基本的には、特許文献１に記載されているものと同様であり、ともに車両前後方向に延びている。
インパクトビーム２は、たとえば高強度の丸パイプ材を用いて構成されており、アウタパネル１０に接近した配置とされ、かつその前後両端部は、ブラケット２０を介してインナパネル１１に固定されている。さらに、インパクトビーム２は、たとえば接着剤８を介してアウタパネル１０と接着されている。
【００１４】
張り剛性リインフォース３も、その前後両端部は、ボルト止めや溶接などの手段によりインナパネル１１に固定されている。この張り剛性リインフォース３は、インパクトビーム２よりも上方の位置においてアウタパネル１０に接近した配置にある。この張り剛性リインフォース３は、たとえば偏平な断面ハット状であり、その上部は、接着剤８ａを用い
てアウタパネル１０と接着されている。張り剛性リインフォース３のうち、前記以外の部分は、アウタパネル１０には接着されておらず、アウタパネル１０とは非接触である。
【００１５】
エネルギ吸収部材４は、たとえば発泡樹脂製のブロック状またはプレート状のパッドであり、可撓性を有している。このエネルギ吸収部材４は、張り剛性リインフォース３およびインパクトビーム２の両者に架け渡した状態に取り付けられている。
【００１６】
より具体的には、エネルギ吸収部材４の上部は、たとえばクリップピン５を用いて張り剛性リインフォース３に取り付けられている。クリップピン５は、エネルギ吸収部材４および張り剛性リインフォース３にそれぞれ設けられた孔部４０，３０に挿通し、かつ先端部が張り剛性リインフォース３に抜け止め状態に係止するように設定される。このことにより、エネルギ吸収部材４の上部は、張り剛性リインフォース３に対して固定されている。
【００１７】
エネルギ吸収部材４の下部には、下向き開口状の凹部４１が形成されており、この凹部４１にインパクトビーム２の上部が嵌入している。エネルギ吸収部材４のうち、凹部４１の車幅方向外側部分および内側部分は、車幅方向においてインパクトビーム２をその両側から挟むように係合する一対の係合部４２ａ，４２ｂとなっており、これら一対の係合部４２ａ，４２ｂの存在により、エネルギ吸収部材４の下部が車幅方向へ移動することも適切に阻止されている。
【００１８】
エネルギ吸収部材４は、車両の乗員の腰部に対向する配置に設けられる。また、このエネルギ吸収部材４は、アウタパネル１０に接近した配置とされるが、アウタパネル１０との間に隙間１９を生じさせる非接触に設定されている。この構成は、サイドドア１内に雨水などが進入した際に、この雨水などがエネルギ吸収部材４とアウタパネル１０との間に進入して溜まり続けることを防止する。
【００１９】
次に、前記した車両のサイドドア構造Ａの作用について説明する。
【００２０】
まず、エネルギ吸収部材４は、サイドドア１のアウタパネル１０に接近した配置に取り付けられているため、アウタパネル１０に手押しなどの外力が作用した際に、アウタパネル１０が一定以上押し込まれることをエネルギ吸収部材４が抑制する効果を発揮する。このようなことから、アウタパネル１０の張り剛性が実質的に高められることとなる。
【００２１】
アウタパネル１０の張り剛性を向上させるための手段として、エネルギ吸収部材４が有効に活用されており、張り剛性を向上させるための専用部品を別途追加する必要はない。張り剛性リインフォース３の大型化や、アウタパネル１０の厚みを大きくするといった必要も無くすことが可能である。したがって、重量の増加や製造コストの上昇も好適に抑制することが可能である。
その他、本実施形態においては、「発明の概要」の欄において述べたように、張り剛性リインフォース３が設けられた領域のうち、エネルギ吸収部材４との連結箇所周辺の剛性が高まる効果、可撓性を有するエネルギ吸収部材４を利用して張り剛性リインフォース３とインパクトビーム２とが連結されていることによる騒音・振動の減衰性能が向上する効果、およびエネルギ吸収部材４の安定的な取り付けを図ることができる効果などが得られる。
【００２２】
本発明は、上述した実施形態の内容に限定されない。本発明に係る車両のサイドドア構造の各部の具体的な構成は、本発明の意図する範囲内において種々に設計変更自在である。
【００２３】
張り剛性リインフォースおよびインパクトビームへのエネルギ吸収部材の具体的な取り付け方法は限定されない。ビス止め、あるいはエネルギ吸収部材の上部および下部の双方を前記２部材に係合させてから接着させるなどの手段を採用してもよい。要は、エネルギ吸収部材が、張り剛性リインフォースおよびインパクトビームの両者に架け渡された状態で取り付けられていればよい。
エネルギ吸収部材は、発泡樹脂製のものに限らない。
【符号の説明】
【００２４】
Ａ  車両のサイドドア構造
１  サイドドア
１０  アウタパネル（サイドドアの）
２  インパクトビーム
３  張り剛性リインフォース
【図１】
0006614698.tif 000002